(57)【要約】      （修正有）【課題】使用時に袖口部分がずり下がってもゴム手袋本体の外部の下部へずり下がるのを効率よく阻止して、濡らしたり、汚したりするのを確実に防止するとともに、楽しく、おしゃれに使用することができるゴム手袋を提供する。【解決手段】ゴム手袋本体と、このゴム手袋本体の開口端部寄りの部位に後端部が取付けられた先端部側が拡開状の筒状で、使用時に袖口部分が内部へ入り込むことが可能な飾りカバーとでゴム手袋を構成している。【選択図】図１
0003166786.tif 000002
【実用新案登録請求の範囲】
【請求項１】
ゴム手袋本体と、このゴム手袋本体の開口端部寄りの部位に後端部が取付けられた先端部側が拡開状の筒状で、使用時に袖口部分が内部へ入り込むことが可能な飾りカバーとで構成されていることを特徴とするゴム手袋。
【考案の詳細な説明】
【技術分野】
【０００１】
本考案は水を使用する作業や、花壇の手入れ等の時に使用するゴム手袋に関する。
【背景技術】
【０００２】
従来のゴム手袋は肘の部分まで覆うことができる長さで、順次拡開する円筒状に形成されている。
このため、使用時には袖口をゴム手袋の開口端部より上部へたくし上げなければ、ゴム手袋の開口端部の外周部の下部へ袖口がずり下がり、濡らしたり、汚れたりするという欠点があった。
また、ゴム材で成型されたものであるので、おしゃれに使用することができないという欠点があった。
【先行技術文献】
【特許文献】
【０００３】
【特許文献１】特開平１０−０７２７１３号公報
【考案の概要】
【考案が解決しようとする課題】
【０００４】
本考案は以上のような従来の欠点に鑑み、使用時に袖口部分がずり下がってもゴム手袋本体の外部の下部へずり下がるのを効率よく阻止して、濡らしたり、汚したりするのを確実に防止するとともに、楽しく、おしゃれに使用することができるゴム手袋を提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案はゴム手袋本体と、このゴム手袋本体の開口端部寄りの部位に後端部が取付けられた先端部側が拡開状の筒状で、使用時に袖口部分が内部へ入り込むことが可能な飾りカバーとでゴム手袋を構成している。
【考案の効果】
【０００７】
以上の説明から明らかなように、本考案にあっては次に列挙する効果が得られる。
（１）ゴム手袋本体と、このゴム手袋本体の開口端部寄りの部位に後端部が取付けられた先端部側が拡開状の筒状で、使用時に袖口部分が内部へ入り込むことが可能な飾りカバーとで構成されているので、飾りカバー内にずり下がる袖口部分を収納することができる。
したがって、袖口部分がずり下がって、従来のようにゴム手袋の外側下部へ位置して濡らしたり、汚れたりするのを確実に防止することができる。
（２）前記（１）によって、飾りカバーによってデザインの向上を図ることができる。
したがって、使用しても楽しく、おしゃれに使用することができる。
（３）前記（１）によって、構造が簡単であるので、容易に製造することができる。
【図面の簡単な説明】
【０００８】
【図１】本考案を実施するための第１の形態の正面図。
【図２】本考案を実施するための第１の形態の背面図。
【図３】本考案を実施するための第１の形態の右側面図。
【図４】本考案を実施するための第１の形態の左側面図。
【図５】本考案を実施するための第１の形態の平面図。
【図６】本考案を実施するための第１の形態の底面図。
【図７】図１の７−７線に沿う断面図。
【図８】本考案を実施するための第１の形態の使用状態の説明図。
【図９】本考案を実施するための第２の形態の正面図。
【図１０】本考案を実施するための第２の形態の背面図。
【図１１】図９の１１−１１線に沿う断面図。
【図１２】本考案を実施するための第３の形態の正面図。
【図１３】本考案を実施するための第３の形態の背面図。
【図１４】図１２の１４−１４線に沿う断面図。
【図１５】本考案を実施するための第４の形態の正面図。
【図１６】本考案を実施するための第４の形態の背面図。
【図１７】図１５の１７−１７線に沿う断面図。
【図１８】本考案を実施するための第５の形態の正面図。
【図１９】本考案を実施するための第５の形態の背面図。
【図２０】図１８の２０−２０線に沿う断面図。
【図２１】本考案を実施するための第６の形態の正面図。
【図２２】本考案発明を実施するための第６の形態の背面図。
【図２３】図２１の２３−２３線に沿う断面図。
【図２４】本考案を実施するための第７の形態の正面図。
【図２５】本考案を実施するための第７の形態の背面図。
【図２６】図２４の２６−２６線に沿う断面図。
【考案を実施するための形態】
【０００９】
以下、図面に示す本考案を実施するための形態より、本考案を詳細に説明する。
【００１０】
図１ないし図８に示す本考案を実施するための第１の形態において、１は本考案のゴム手袋で、このゴム手袋１は従来と同様なゴム手袋本体２と、このゴム手袋本体２の開口端２ａ部寄りの部位に接着、溶着、縫着等によって後端部が取付けられた先端部側が拡開したプリーツ状で、使用時に袖口部分３が内部へ入り込むことが可能な、防水シートを用いた飾りカバー４と、この飾りカバー４の取付け部分の外側部位に接着、溶着、縫着等によって固定されたリボン飾り５とで構成されている。
【００１１】
上記構成のゴム手袋１は水作業、庭や花壇の手入れ時等に袖口部分をそのままの状態あるいはたくし上げた状態で手を内部へ挿入して着用する。
【００１２】
この時、袖口部分３はたくし上げられて飾りカバー４内に位置したり、たくし上げられた袖口部分３がずり下がった場合には飾りカバー４内に収納される。
【００１３】
したがって、袖口部分３が飾りカバー４やゴム手袋本体２の外側部分へはみ出したりすることがなく、濡らしたり、汚したりするのを確実に防止することができるとともに、袖口部分３が飾りカバー４内に収納された、きれいな状態で使用するとともに、飾りカバー４や飾り５によって楽しくおしゃれに使用することができる。
【００１４】
[考案を実施するための異なる形態]
次に、図９ないし図２６に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１５】
図９ないし図１１に示す本考案を実施するための第２の形態において、前記本考案を実施するための第１の形態と主に異なる点は、レース飾り５Ａとリボン飾り５とを取付けた点で、このように構成したゴム手袋１Ａにしても、前記本考案を実施するための第１の形態と同様な作用効果が得られる。
【００１６】
図１２ないし図１４に示す本考案を実施するための第３の形態において、前記本考案を実施するための第１の形態と主に異なる点は、花飾り５Ｂを取付けた点で、このように構成したゴム手袋１B にしても、前記本考案を実施するための第１の形態と同様な作用効果が得られる。
【００１７】
図１５ないし図１７に示す本考案を実施するための第４の形態において、前記本考案を実施するための第１の形態と主に異なる点は、ビーズ飾り５Ｃを取付けた点で、このように構成したゴム手袋１Ｃ にしても、前記本考案を実施するための第１の形態と同様な作用効果が得られる。
【００１８】
図１８ないし図２０に示す本考案を実施するための第５の形態において、前記本考案を実施するための第１の形態と主に異なる点は、リボン飾りを用いることなく、図柄や文字等のデザインが付された防水シートを使用した飾りカバー４Ａを用いた点で、このようなゴム手袋１Ｄ にしても、前記本考案を実施するための第１の形態と同様な作用効果が得られる。
【００１９】
図２１ないし図２３に示す本考案を実施するための第６の形態において、前記本考案を実施するための第５の形態と主に異なる点は、後端部より先端部が拡開状の筒状の飾りカバー４Ｂを用いた点で、このように構成したゴム手袋１Ｅにしてもよい。
【００２０】
図２４ないし図２６に示す本考案を実施するための第７の形態において、前記本考案を実施するための第６の形態と主に異なる点は、飾り５を取付けた点で、このように構成したゴム手袋１Ｆにしてもよい。
【付記１】
【００２１】
ゴム手袋本体と、このゴム手袋本体の開口端部寄りの部位に後端部が取付けられた先端部側が、拡開したプリーツ状で、使用時に袖口部分が内部へ入り込むことが可能な飾りカバーとで構成されていることを特徴とするゴム手袋。
【付記２】
【００２２】
ゴム手袋本体と、このゴム手袋本体の開口端部寄りの部位に後端部が取付けられた先端部側が拡開状の筒状で、使用時に袖口部分が内部へ入り込むことが可能な飾りカバーと、この飾りカバーあるいは該飾りカバーの取付け部分に取付けられたリボンや花等の飾りとからなることを特徴とするゴム手袋。
【産業上の利用可能性】
【００２３】
本考案はゴム手袋を製造する産業で利用される。
【符号の説明】
【００２４】
１、  、１Ａ、１Ｂ、１Ｃ、１Ｄ、１Ｅ、１Ｆ：ゴム手袋、
２：ゴム手袋本体、      ３：袖口部分、
４、４Ａ、４Ｂ：飾りカバー、  ５、５Ａ、５Ｂ、５Ｃ：飾り。
【図１】
0003166786.tif 000003
【図２】
0003166786.tif 000004
【図３】
0003166786.tif 000005
【図４】
0003166786.tif 000006
【図５】
0003166786.tif 000007
【図６】
0003166786.tif 000008
【図７】
0003166786.tif 000009
【図８】
0003166786.tif 000010
【図９】
0003166786.tif 000011
【図１０】
0003166786.tif 000012
【図１１】
0003166786.tif 000013
【図１２】
0003166786.tif 000014
【図１３】
0003166786.tif 000015
【図１４】
0003166786.tif 000016
【図１５】
0003166786.tif 000017
【図１６】
0003166786.tif 000018
【図１７】
0003166786.tif 000019
【図１８】
0003166786.tif 000020
【図１９】
0003166786.tif 000021
【図２０】
0003166786.tif 000022
【図２１】
0003166786.tif 000023
【図２２】
0003166786.tif 000024
【図２３】
0003166786.tif 000025
【図２４】
0003166786.tif 000026
【図２５】
0003166786.tif 000027
【図２６】
0003166786.tif 000028